(57)【特許請求の範囲】
【請求項１】
水平に保持した固定アーム、コ字形の１対の可動アーム、および吊り手からなり、さらに、可動アームには、補助具として、中央部に開孔を有し、かつウェブロールの外径より大きな寸法の一対の当て板、および中空コアおよび当て板の開孔に嵌入する突出部を有する一対のワッシャーを備えてなり、可動アームのコ字形の開放部を対向させて各上辺の先端を固定アーム上の左右にそれぞれ枢着することにより、固定アームを含む垂直平面内で回動自在にし、ウェブロールを吊り上げる際には、（i）可動アームの開放部をウェブロールのコアに挿入し、（ii）ウェブロールを吊り上げた後、（iii）当て板をコアの両端面に当接させ、ワッシャーのフランジ部で当て板を抑えて、かつ突出部をコアの端部の開孔へ嵌入することを特徴とする中空のコアを有するウェブロール吊り具。
【請求項２】
前記固定アームが上方に開いたチャネル状の部材からなり、かつ可動アームを枢着する回動軸が固定アームの両端より中央寄りの位置にチャネルの側壁を貫通して固定されたことを特徴とする請求項１に記載のウェブロール吊り具。
【請求項３】
前記可動アームのコ字形の下辺の先端上側にクッション材を付与したことを特徴とする請求項１または２のいずれかに記載のウェブロール吊り具。
【発明の詳細な説明】
【０００１】
【発明の属する技術分野】
本発明は、ウェブロールを吊り上げて効率的に箱などに収納しまたは取り出すための吊り具に関するものである。
【０００２】
【従来の技術】
合成樹脂、布、紙その他の各種材料からなるフィルムやシート（以下「ウェブ」という）を卷き芯（コア）に卷き付けたウェブロールを保管あるいは運搬する際に、ウェブを傷つけることなく箱に収納したり、箱から取り出すためには、ウェブロールを宙吊りの状態にして作業を行わなければならない。この作業は一般にホイスト等の荷役機器を用いて行うために、レールなどを設置する点で制約が大きく、また人手によればウェブの重量が大きい場合には作業が非常に困難であり、多大の時間と労力が必要である。従来、この点について簡便かつ有効な対策の提案は少なく、ウェブロールを吊り上げて効率的に収納および取出しを実施する方法の改善が望まれている。
【０００３】
【発明が解決しようとする課題】
本発明は、上記のような事情に鑑み、ウェブロールを吊り下げた状態に保持して箱への収納および取出しを行うことができる簡便な構造の吊り具を提供することを目的とする。
【０００４】
【課題を解決するための手段】
本発明者は、上記の目的に沿って検討した結果、固定アームとコ字形の１対の可動アームを備えた特定の構造を有する吊り具を用いることにより、容易に目的が達成されることを見出して本発明を完成した。
すなわち、本発明の第１は、水平に保持した固定アーム、コ字形の１対の可動アーム、および吊り手からなり、さらに、可動アームには、補助具として、中央部に開孔を有し、かつウェブロールの外径より大きな寸法の一対の当て板、および中空コアおよび当て板の開孔に嵌入する突出部を有する一対のワッシャーを備えてなり、可動アームのコ字形の開放部を対向させて各上辺の先端を固定アーム上の左右にそれぞれ枢着することにより、固定アームを含む垂直平面内で回動自在にし、ウェブロールを吊り上げる際には、（i）可動アームの開放部をウェブロールのコアに挿入し、（ii）ウェブロールを吊り上げた後、（iii）当て板をコアの両端面に当接させ、ワッシャーのフランジ部で当て板を抑えて、かつ突出部をコアの端部の開孔へ嵌入することを特徴とする中空のコアを有するウェブロール吊り具に関するものである。
本発明の第２は、前記の発明において、固定アームが上方に開いたチャネル状の部材からなり、かつ可動アームを枢着する回動軸が固定アームの両端より中央寄りの位置にチャネルの側壁を貫通して固定されたことを特徴とするウェブロール吊り具に関する。
また、本発明の第３は、前記の発明において、可動アームのコ字形の下辺の先端上側にクッション材を付与したことを特徴とするウェブロール吊り具に関する。
【０００５】
【発明の実施の形態】
以下、本発明の実施形態について図面に従い詳細に説明する。
図１（ａ）は、本発明のウェブロール吊り具の一例を示す正面図であり、図１（ｂ）は、図１（ａ）の側面図である。吊り具１は、自在フック４ａを介し、別途用意したアームや台車、フォークリフト、レール等の支持体に吊るして使用する。また、上記の支持体は昇降機能を有するものであってもよい。吊り具１は、水平に保持した固定アーム２、コ字型の１対の可動アーム３、および吊り手４からなるものである。吊り具１は、全体が自在フック４ａにより水平面内で自由に回動することができ、また両可動アーム３の上辺の先端は固定アーム２上の左右においてそれぞれ回動軸５に枢着され、固定アーム２を含む垂直平面内で左右外側へはね上げるように回動することができる。
また図１（ｂ）に示すように、固定アーム２は上方に開いたチャネル状の部材からなるものであり、かつ図１（ａ）に示すように、回動軸５は固定アーム２の両端より中央寄りの位置にチャネルの側壁を貫通して固定されている。これらの構造により、作業中における可動アーム３の水平方向のブレを防ぎ、固定アーム２を含む垂直面内で回動させることができる。また、ウェブロールを吊り下げた際に、重量は固定アームの両端にかかるため、回動軸が過大な重量を受けて破損する懸念はない。なお、これらの細部については、ウェブロールの重量や部材の強度を考慮して各種の構造を適宜選択することができる。
なお、可動アーム３のコ字形の下辺の先端上側にはゴム状のクッション材６が付与されており、上記先端がコアの両端の開孔に挿入されるときに間隙を保つ役割を果たすが、詳細については後に図２（ｅ）の説明において述べる。
また、固定アーム２および可動アーム３の材料は特に制限されず、ウェブロールを吊り下げることができる強度を有するものであれば、いずれも使用することができる。吊り手４の材料も、ウェブロールの重量に耐える強度を有するものであれば特に制限はない。
【０００６】
次に、本発明を用いてウェブロールを収納する方法について述べる。
図２は、図１に示す本発明の吊り具を用いてウェブロールを箱に収納する過程を示す説明図である。なお、図２において、図１に示した吊り具１の詳細は省略した。
図２（ａ）：吊り具１を吊り下げた状態において、左右の可動アームの先端に補助具としてワッシャー７および当て板８をこの順に通す。なお、ワッシャー７および当て板８の機能は後に図２（ｅ）の説明において述べる。
図２（ｂ）：ワッシャー７および当て板８を可動アームから上方の固定アームの位置まで移動して待機させる。
図２（ｃ）：可動アームを左右にはね上げ、別途支持されているウェブロール９のコア１０の両端の開孔から両可動アームの先端を挿入する。
図２（ｄ）：吊り具１によりウェブロール９を吊り上げる。
図２（ｅ）：ワッシャー７および当て板８を下方に移動し、まず当て板８をコア１０の両端面に当接させ、次いでワッシャー７をコア１０にはめ込む。
なお、当て板８は、ウェブロールを箱へ収納した際に、ウェブの表面を箱の内面から隔離するスペーサーの役割を果たす。ワッシャー７は、コア１０の両端面に当て板８を固定するために用いられ、そのフランジ部で当て板８を抑えて突出部をコア１０の端部の開孔へ挿入する。
可動アームの下辺の先端上側には、図１に示すようにゴム状のクッション材６を取り付け、コアを保護すると同時に可動アームとコア１０との間に間隙を形成することができるので、ワッシャー７の突出部をコア１０にはめ込む際に、ウェブロール９を特に持ち上げる必要はない。
図２（ｆ）：吊り具１を紙箱１１の中へ下ろし、当て板８でウェブロール９を支える。なお、紙箱１１の側面には、吊り具１を取り外す際に可動アームをはね上げることができるように切欠きが設けられている。
図２（ｇ）：可動アームをはね上げて吊り具１を上方へ取り除き、ワッシャー７の両端と紙箱１１との隙間に詰め板１２を挿入した後、蓋１３で覆い梱包を完了する。
【０００７】
図３（ａ）は、本発明のウェブロール吊り具の他の例を示す正面図であり、図３（ｂ）は、図３（ａ）の側面図である。吊り具１ａの構造は、図１の吊り具１とほぼ同様であるが、固定アーム２ａは筒状の部材からなり、１対の可動アーム３ａの上辺の断面は、固定アーム２ａの断面と同一の形状を有し、かつ寸法は後者よりも小さい。従って、両可動アーム３ａの上辺を固定アーム２ａの両端から挿入し、固定アーム２ａの軸に沿って摺動させることができる。両断面形状を同一とし、かつ両者の寸法差を小さくすることにより、固定アーム内部における可動アームの遊びを少なくして、安定した作業行うことができる。
なお、摺動させた可動アームを必要に応じ固定することができるように、適宜にストッパー１４を設ける。ストッパー１４の設定位置を変更可能として、両可動アームの間隔を調節することにより、コアの長さが異なる場合にも容易に対処することができる。
図３（ｃ）は、図３（ａ）に示すウェブロール吊り具の可動アームを摺動させた状態を示す部分正面図である。すなわち、両可動アーム３ａを図３（ａ）に示す矢印の方向へそれぞれ摺動させることにより、可動アームの下辺をコア  １０の外側へ抜き出すことができる。
【０００８】
【発明の効果】
本発明のウェブロール吊り具を用いることにより、以下の効果が得られる。
（１）ウェブを傷つけることなく、ウェブロールの収納作業を作業員１名で短時間に完了することができる。
（２）作業員は重量物を持ち上げる必要がないので、怪我、腰痛などを起こすことなく、安全に作業を行うことができる。
（３）上記収納作業の順序を逆に実施して開梱に応用すれば、ウェブを傷つけることなくウェブロールを取り出すことができる。
【図面の簡単な説明】
【図１】図１（ａ）は本発明の吊り具の一例の正面図であり、図１（ｂ）は図１（ａ）の側面図である。
【図２】図２（ａ）から（ｇ）は、図１に示す吊り具を用いてウェブロールを箱に収納する過程を示す説明図である。
【図３】図３（ａ）は本発明の吊り具の他の例の正面図、図３（ｂ）は図３（ａ）の側面図、および図３（ｃ）は図３（ａ）に示す吊り具の可動アームを摺動させた状態を示す部分正面図である。
【符号の説明】
１、１ａ  吊り具
２、２ａ  固定アーム
３、３ａ  可動アーム
４  吊り手
４ａ  自在フック
５  回動軸
６  クッション材
７  ワッシャー
８  当て板
９  ウェブロール
１０  コア
１１  紙箱
１２  詰め板
１３  蓋
１４  ストッパー
【図１】
0003616222.tif 000002
【図２】
0003616222.tif 000003
【図３】
0003616222.tif 000004